(57)【要約】【課題】熱電素子を使用した温調装置において、熱電素子の吸熱側となる部分や吸熱用の熱交換体に発生した結露の排出が促進されるように構成する。【解決手段】熱電素子２５の吸熱側及び放熱側となる部分に、吸熱用及び放熱用の熱交換体２１，２２を備え、吸熱用及び放熱用の熱交換体２１，２２に空気を供給するファンを備えて、吸熱用の熱交換体２１で熱交換された空気を対象物に供給するように構成し、放熱用の熱交換体２２で熱交換された空気を外部に排出するように構成する。吸熱用の熱交換体２１における熱電素子２５の吸熱側となる部分の近傍部分に水分案内体２６を備え、水分案内体２６を放熱用の熱交換体２２に延出して、吸熱用の熱交換体２１の水分を水分案内体２６を介して放熱用の熱交換体２２に案内する。【選択図】        図５
2004322770.tif 000002
【特許請求の範囲】
【請求項１】
熱電素子の吸熱側となる部分に吸熱用の熱交換体を備えて、前記熱電素子の放熱側となる部分に放熱用の熱交換体を備え、前記吸熱用及び放熱用の熱交換体に空気を供給するファンを備えて、
前記吸熱用の熱交換体で熱交換された空気を対象物に供給するように構成し、前記放熱用の熱交換体で熱交換された空気を外部に排出するように構成すると共に、
前記吸熱用の熱交換体における熱電素子の吸熱側となる部分の近傍部分に水分案内体を備え、前記水分案内体を放熱用の熱交換体に延出して、前記吸熱用の熱交換体の水分を水分案内体を介して放熱用の熱交換体に案内するように構成してある温調装置。
【請求項２】
前記放熱用の熱交換体における熱電素子の放熱側となる部分の近傍部分に、前記水分案内体を配置してある請求項１の記載の温調装置。
【請求項３】
複数の前記水分案内体を空気の流れる方向に沿って所定間隔を置いて備えてある請求項１又は２に記載の温調装置。
【請求項４】
前記水分案内体が不織布によって構成されている請求項１〜３のうちのいずれか一つに記載の温調装置。
【発明の詳細な説明】
【０００１】
【発明の属する技術分野】
本発明は、熱電素子を使用して、熱交換された空気（冷風）を対象物に供給するように構成された温調装置に関する。
【０００２】
【従来の技術】
熱電素子を使用した温調装置の一例が特許文献１に開示されている。特許文献１の構造では、熱電素子（特許文献１の図１中の３）の吸熱側となる部分に、吸熱用の熱交換体（特許文献１の図１中の３ａ）を備えて、熱電素子の放熱側となる部分に放熱用の熱交換体（特許文献１の図１中の３ｂ）を備え、吸熱用及び放熱用の熱交換体に空気を供給するファン（特許文献１の図１中の４）を備えている。これにより、吸熱用の熱交換体で熱交換された空気（冷風）が対象物に供給され、放熱用の熱交換体で熱交換された空気（温風）が外部に排出される。
この場合、熱電素子の吸熱側となる部分や吸熱用の熱交換体に結露が発生し易いので、特許文献１の構造ではドレン通路（特許文献１の図１中の１１）を備えて、結露をドレン通路から外部に排出するように構成している。
【０００３】
【特許文献１】
特開平５−２７７０２０号公報（図１）
【０００４】
【発明が解決しようとする課題】
特許文献１の構造では、熱電素子の吸熱側となる部分や吸熱用の熱交換体に結露が発生した場合、単にドレン通路を介して結露を外部に排出するように構成しているだけなので、熱電素子の吸熱側となる部分や吸熱用の熱交換体に発生した結露の排出を促進すると言う面で改善の余地がある。
本発明は熱電素子を使用した温調装置において、熱電素子の吸熱側となる部分や吸熱用の熱交換体に発生した結露の排出が促進されるように構成することを目的としている。
【０００５】
【課題を解決するための手段】
［Ｉ］
請求項１の特徴によると、熱電素子の吸熱側となる部分に吸熱用の熱交換体を備えて、熱電素子の放熱側となる部分に放熱用の熱交換体を備え、吸熱用及び放熱用の熱交換体に空気を供給するファンを備えて、吸熱用の熱交換体で熱交換された空気を対象物に供給するように構成し、放熱用の熱交換体で熱交換された空気を外部に排出するように構成している。吸熱用の熱交換体における熱電素子の吸熱側となる部分の近傍部分に水分案内体を備え、水分案内体を放熱用の熱交換体に延出して、吸熱用の熱交換体の水分を水分案内体を介して放熱用の熱交換体に案内するように構成している。
【０００６】
これにより、請求項１の特徴によれば、熱電素子の吸熱側となる部分や吸熱用の熱交換体に水分（結露）が発生すると、水分（結露）が水分案内体を介して放熱用の熱交換体に案内される。
前述のように水分（結露）が放熱用の熱交換体に案内されると、水分（結露）が放熱用の熱交換体の熱によって蒸発するのであり、水分（結露）が蒸発することにより、熱電素子の吸熱側となる部分や吸熱用の熱交換体に発生した水分（結露）が、水分案内体を介してさらに良く放熱用の熱交換体に案内されるようになる。従って、特許文献１の構造のように単にドレン通路を介して水分（結露）を排出する構成に比べて、熱電素子の吸熱側となる部分や吸熱用の熱交換体からの水分（結露）の排出が早く行われるようになる。
【０００７】
［ＩＩ］
前項［Ｉ］に記載のように、熱電素子の吸熱側となる部分や吸熱用の熱交換体に水分（結露）が発生する場合、熱電素子の吸熱側となる部分の表面や、吸熱用の熱交換体の基部（熱電素子の吸熱側となる部分に接する部分）に、膜を張るように水分（結露）が発生することが多くある。
【０００８】
請求項１の特徴によると、吸熱用の熱交換体における熱電素子の吸熱側となる部分の近傍部分に水分案内体を備えている。これにより、請求項１の特徴によると、前述のように熱電素子の吸熱側となる部分の表面や、吸熱用の熱交換体の基部（熱電素子の吸熱側となる部分に接する部分）に、膜を張るように水分（結露）が発生した場合、水分（結露）が水分案内体に近いものとなって、水分（結露）が水分案内体により取り出され易くなり、放熱用の熱交換体に案内され易くなる。
【０００９】
［ＩＩＩ］
請求項１の特徴によると、前項［Ｉ］［ＩＩ］に記載のように、熱電素子の吸熱側となる部分や吸熱用の熱交換体に発生した水分（結露）が、水分案内体を介して放熱用の熱交換体に案内され、水分（結露）が放熱用の熱交換体の熱によって蒸発すると、蒸発の際の気化熱が放熱用の熱交換体から奪われることになるので、放熱用の熱交換体での熱交換（放熱）が促進されるようになる。
【００１０】
［ＩＶ］
請求項１の特徴によると、前項［Ｉ］［ＩＩ］に記載のように、熱電素子の吸熱側となる部分や吸熱用の熱交換体に発生した水分（結露）が、水分案内体を介して放熱用の熱交換体に案内され、水分（結露）が放熱用の熱交換体の熱によって蒸発すると、水分（結露）が外部に排出されることが少なくなるので、排出された水分（結露）によって温調装置の外部を汚してしまうと言うような状態が少なくなる。
【００１１】
［Ｖ］
請求項２の特徴によると、請求項１の場合と同様に前項［Ｉ］〜［ＩＶ］に記載の「作用」を備えておりこれに加えて以下のような「作用」を備えている。
請求項２の特徴によると、放熱用の熱交換体における熱電素子の放熱側となる部分の近傍部分に、水分案内体を配置している。
これにより、請求項２の特徴によると、前項［Ｉ］［ＩＩ］［ＩＩＩ］に記載のように、熱電素子の吸熱側となる部分や吸熱用の熱交換体に発生した水分（結露）が、水分案内体を介して放熱用の熱交換体に案内された場合、水分（結露）が放熱用の熱交換体における熱電素子の放熱側となる部分の近傍部分に案内されるので、熱電素子の放熱側となる部分の熱が水分（結露）に伝わり易く、水分（結露）が放熱用の熱交換体の熱によって蒸発し易くなる。
【００１２】
［ＶＩ］
請求項３の特徴によると、請求項１又は２の場合と同様に前項［Ｉ］〜［Ｖ］に記載の「作用」を備えており、これに加えて以下のような「作用」を備えている。
請求項３の特徴によると、複数の水分案内体を空気の流れる方向に沿って所定間隔を置いて備えている。
これにより、請求項３の特徴によると、空気が吸熱用（放熱用）の熱交換体を通過する際に水分案内体が障害物となって、空気が吸熱用（放熱用）の熱交換体で少し滞留するような状態になり易くなるので、空気が吸熱用（放熱用）の熱交換体をそのまま通過する場合に比べて、吸熱用の熱交換体での熱交換（吸熱）及び放熱用の熱交換体での熱交換（放熱）が促進される。
【００１３】
［ＶＩＩ］
請求項４の特徴によると、請求項１〜３のうちのいずれか一つの場合と同様に前項［Ｉ］〜［ＶＩ］に記載の「作用」を備えており、これに加えて以下のような「作用」を備えている。
請求項４の特徴によると、水分案内体が不織布によって構成されているので、熱電素子の吸熱側となる部分や吸熱用の熱交換体に発生した水分（結露）が、毛細管現象により水分案内体（不織布）に吸い取られて、放熱用の熱交換体に円滑に案内されるような状態となる。
この場合、不織布はフィルターとしての機能及び吸音材としての機能も期待できるので、空気が吸熱用（放熱用）の熱交換体を通過する際に、小さなゴミや塵が不織布に回収されることが期待できるのであり、ファンの作動音（特に高周波領域の作動音）が不織布に吸音されることが期待できる。
【００１４】
【発明の実施の形態】
図１は乗用車のシート（運転席及び助手席）を示しており、シートは座部１、背もたれ部２及びヘッドレスト３を備えて構成されている。
次に、シートの座部１について説明する。
図１及び図２に示すように、枠状の支持フレーム４が備えられて、バネ線材をＳ字状に繰り返し折り曲げて構成されたバネ部材５が、支持フレーム４に左右方向に架設され、支持フレーム４及びバネ部材５に、発泡ウレタン等のパッド部材６が乗せられている。パッド部材６の表面において、シートに着座する乗員の臀部及び太股部に対応する部分に縦長の右及び左の凹部６ａが形成され、右及び左の凹部６ａに亘って凹部６ｂが形成されている。繊維が網状に絡まったようなウレタンフォーム等の補助パッド部材７が用意されて、補助パッド部材７がパッド部材６の凹部６ａ，６ｂに入れ込まれており、補助パッド部材７は充分な通気性と弾性を備えている。
【００１５】
図１及び図２に示すように、パッド部材６及び補助パッド部材７の表面に布製の通気性のある表皮８が被せられており、パッド部材６の表面の略全面に接着剤が塗布されて、表皮８がパッド部材６の表面に接着されている。この場合、パッド部材６の表面に接着剤が塗布されているが、補助パッド部材７の表面には接着剤は塗布されていない。補助パッド部材７の表面に接着剤を塗布するとしても、補助パッド部材７の表面に部分的に接着剤を塗布して、表皮８を補助パッド部材７に接着するように構成することも可能である。布製の表皮８ではなく、ビニールや皮革等等の通気性の無い表皮８を使用した場合には、小さな通気穴を表皮８に多数設ければよい。
【００１６】
次に、シートの背もたれ部２について説明する。
図１及び図２に示すように、枠状の支持フレーム（図示せず）が備えられて、バネ線材をＳ字状に繰り返し折り曲げて構成されたバネ部材９が、支持フレームに左右方向に架設され、支持フレーム及びバネ部材９に、発泡ウレタン等のパッド部材１０が乗せられている。パッド部材１０の表面において、シートに着座する乗員の背部に対応する部分に縦長の右及び左の凹部１０ａが形成され、右及び左の凹部１０ａに亘って凹部１０ｂが形成されている。繊維が網状に絡まったようなウレタンフォーム等の補助パッド部材１１が用意されて、補助パッド部材１１がパッド部材１０の凹部１０ａ，１０ｂに入れ込まれており、補助パッド部材１１は充分な通気性と弾性を備えている。
【００１７】
図１及び図２に示すように、パッド部材１０及び補助パッド部材１１の表面に布製の通気性のある表皮１２が被せられており、パッド部材１０の表面の略全面に接着剤が塗布されて、表皮１２がパッド部材１０の表面に接着されている。パッド部材１０の裏面側に後パネル１３が取り付けられている。この場合、パッド部材１０の表面に接着剤が塗布されているが、補助パッド部材１１の表面には接着剤は塗布されていない。補助パッド部材１１の表面に接着剤を塗布するとしても、補助パッド部材１１の表面に部分的に接着剤を塗布して、表皮１２を補助パッド部材１１に接着するように構成することも可能である。布製の表皮１２ではなく、ビニールや皮革等等の通気性の無い表皮１２を使用した場合には、小さな通気穴を表皮１２に多数設ければよい。
【００１８】
図２に示すように、シートの座部１及び背もたれ部２において、パッド部材６，１０の凹部６ｂ，１０ｂからパッド部材６，１０の裏面に亘り、供給口６ｃ，１０ｃが形成されている。ユニット状の温調装置１４が備えられ、温調装置１４がバネ部材５，９に取り付けられており、温調装置１４の排気口１５ａがパッド部材６，１０の供給口６ｃ，１０ｃに挿入されている。
【００１９】
次に、温調装置１４について説明する。
図３及び図４に示すように、温調装置１４の全体が第１ケース１５及び第２ケース１６によって覆われており、第１及び第２ケース１５，１６の間にパッキン１９が挟み込まれて、第１及び第２ケース１５，１６がクリップ２０によって連結されている。第１ケース１５にモータ１７が固定されて、モータ１７の駆動軸に円盤部材１８ａが取り付けられ、円盤部材１８ａに多数のフィン１８ｂが備えられて、ターボファン１８が構成されており、モータ１７により回転軸芯Ｐ１周りにターボファン１８が回転駆動される。第１及び第２ケース１５，１６においてモータ１７とは反対側の位置に排気口１５ａ，１６ａが備えられ、第２ケース１６において回転軸芯Ｐ１に対向する部分に吸気口１６ｂが設けられている。
【００２０】
図３，４，５，６に示すように、薄く背の低い断面コ字状のチャンネル状の第１熱交換体２１（例えばアルミ合金等）及び第２熱交換体２２（例えばアルミ合金等）が多数用意されている。図６に示すように、第１及び第２熱交換体２１，２２の幅Ｗ１及び長さＬ１、板厚は互いに同じものに設定されているが、第１熱交換体２１の高さＨ１よりも、第２熱交換体２２の高さＨ２が高いものに設定されている（第１熱交換体２１の高さＨ１と第２熱交換体２２の高さＨ２との比が例えば１：３）。
【００２１】
図３，４，５，６に示すように、支持ピン２４（例えばアルミ合金等）が多数の第１熱交換体２１に貫通され、多数の第１熱交換体２１が重ねられて一体化されている。支持ピン２４（例えばアルミ合金等）が多数の第２熱交換体２２に貫通され、多数の第２熱交換体２２が重ねられて一体化されており、第１熱交換体２１の数と第２熱交換体２２の数が同じものに設定されている。
【００２２】
図３及び図５に示すように、第１及び第２ケース１５，１６の内面に薄いシート状の断熱材２７が取り付けられており、第１熱交換体２１が第１ケース１５の断熱材２７の位置に配置され、第２熱交換体２２が第２ケース１６の断熱材２７の位置に配置されている。熱電素子として薄い平板状で長方形状のペルチェ素子２５が、第１及び第２熱交換体２１，２２の間に配置されて、第１及び第２熱交換体２１，２２がペルチェ素子２５に接している。
【００２３】
図３，５，６に示すように、第１熱交換体２１におけるペルチェ素子２５の近傍部分に開口が形成され、第２熱交換体２２におけるペルチェ素子２５の近傍部分に開口が形成されている。細長い棒状又は紐状の不織布２６が用意されて、不織布２６の一方が全ての第１熱交換体２１に亘るように第１熱交換体２１の開口に挿入されており、不織布２６の他方がペルチェ素子２５の端部を迂回して、全ての第２熱交換体２２に亘るように第２熱交換体２２の開口に挿入されている。これにより、図３，４，６に示すように、４つの不織布２６が所定間隔を置いて図３，４，６の紙面左右方向に沿って第１及び第２熱交換体２１に備えられており、２つの支持ピン２４が第１熱交換体２１（第２熱交換体２２）の高さ方向の中央位置で不織布２６の間の位置に備えられている。
【００２４】
以上の構造により、図３，４，５，６に示すように、ペルチェ素子２５の第１熱交換体２１の部分が吸熱側となり、ペルチェ素子２５の第２熱交換体２２の部分が放熱側となるように、ペルチェ素子２５に所定の電圧を掛けたとする。この状態でターボファン１８が図４の紙面反時計方向に回転駆動されると、空気が吸気口１６ｂから吸入されて、第１及び第２熱交換体２１，２２に供給される。第１熱交換体２１に供給された空気が第１熱交換体２１との熱交換によって冷風となり、排気口１５ａから排出される。第２熱交換体２２に供給された空気が第２熱交換体２２との熱交換によって温風となり、排気口１６ａから排出される。これにより、図１及び図２に示すように、冷風がパッド部材６，１０の供給口６ｃ，１０ｃ、凹部６ａ，６ｂ，１０ａ，１０ｂ、補助パッド部材７，１１及び表皮８，１２を介して、シートの座部１及び背もたれ部２の外側に供給される。
【００２５】
この場合、ペルチェ素子２５の吸熱側となる部分や第１熱交換体２１に水分（結露）が発生することがあり、ペルチェ素子２５の吸熱側となる部分の表面や、第１熱交換体２１におけるペルチェ素子２５の吸熱側となる部分に接する部分に膜を張るように水分（結露）が発生することが多くある。このような状態になると、図５に示すように、水分（結露）が毛細管現象により不織布２６に吸い取られ、水分（結露）が毛細管現象により不織布２６に沿って移動し第２熱交換体２２の位置に案内される。水分（結露）が第２熱交換体２２に案内されると、水分（結露）が第２熱交換体２２（ペルチェ素子２５の放熱側の部分）の熱によって蒸発するのであり、水分（結露）が蒸発することにより、水分（結露）が不織布２６を通って第２熱交換体２２にさらに良く案内されるようになる。
【００２６】
図３，４，５，６に示すように、第１熱交換体２１（第２熱交換体２２）に不織布２６及び支持ピン２４が配置されていることにより、ターボファン１８からの空気が第１熱交換体２１（第２熱交換体２２）を通過する際に、不織布２６及び支持ピン２４が障害物となって、ターボファン１８からの空気が第１熱交換体２１（第２熱交換体２２）で少し滞留するような状態になり易くなるので、第１熱交換体２１での熱交換（吸熱）及び第２熱交換体２２での熱交換（放熱）が促進される。
【００２７】
前述とは逆にペルチェ素子２５の第１熱交換体２１の部分が放熱側となり、ペルチェ素子２５の第２熱交換体２２の部分が吸熱側となるように、ペルチェ素子２５に所定の電圧を掛けると、温風が排気口１５ａから排出され、冷風が排気口１６ａから排出される。ペルチェ素子２５に所定の電圧を掛けなければ、温調装置１４の熱交換機能が停止して、常温の送風が排気口１５ａから排出される。
【００２８】
［実験結果］
前述の［発明の実施の形態］において、ペルチェ素子２５の第１熱交換体２１の部分が吸熱側となり、ペルチェ素子２５の第２熱交換体２２の部分が放熱側となるように、ペルチェ素子２５に所定の電圧を掛けた場合、不織布２６を第１及び第２熱交換体２１，２２に取り付けていない状態と、図３，４，５，６に示すように不織布２６を第１及び第２熱交換体２１，２２に取り付けた状態とを、実験して比較した。
【００２９】
実験では、不織布２６を第１及び第２熱交換体２１，２２に取り付けていない状態と、不織布２６を第１及び第２熱交換体２１，２２に取り付けた状態とにおいて、同じ室温の状態でペルチェ素子２５に同じ所定の電圧を掛け、モータ１７（ターボファン１８）の回転数を同じに設定して、排気口１６ａ（放熱側）での排気温度と室温との差（第２熱交換体２２の温度と室温との差）、排気口１５ａ（吸熱側）の排気温度と室温との差、並びに、第１熱交換体２１の温度と室温との差を計測している。
【００３０】
図７（イ）は、不織布２６を第１及び第２熱交換体２１，２２に取り付けていない状態での実験結果である。これにより、排気口１６ａ（放熱側）での排気温度と室温との差（第２熱交換体２２の温度と室温との差）が実線Ａ１に示すような実験結果となり、排気口１５ａ（吸熱側）の排気温度と室温との差が一点鎖線Ｂ１に示すような実験結果となり、第１熱交換体２１の温度と室温との差が二点鎖線Ｃ１に示すような実験結果となった。
【００３１】
図７（ロ）は、不織布２６を第１及び第２熱交換体２１，２２に取り付けた状態での実験結果である。これにより、排気口１６ａ（放熱側）での排気温度と室温との差（第２熱交換体２２の温度と室温との差）が実線Ａ２に示すような実験結果となり、排気口１５ａ（吸熱側）の排気温度と室温との差が一点鎖線Ｂ２に示すような実験結果となり、第１熱交換体２１の温度と室温との差が二点鎖線Ｃ２に示すような実験結果となった。
【００３２】
以上の図７（イ）（ロ）に示すように、不織布２６を第１及び第２熱交換体２１，２２に取り付けていない状態に比べて、不織布２６を第１及び第２熱交換体２１，２２に取り付けた状態が、排気口１６ａ（放熱側）での排気温度と室温との差（第２熱交換体２２の温度と室温との差）が大きなものとなり（第２熱交換体２２での熱交換（放熱）が促進されて、排気口１６ａでの排気温度が高いものとなり）、排気口１５ａ（吸熱側）の排気温度と室温との差が大きなものとなっている（第１熱交換体２１での熱交換（吸熱）が促進されて、排気口１５ａでの排気温度が低いものとなっている）。
【００３３】
［発明の実施の第１別形態］
前述の［発明の実施の形態］において、第１及び第２熱交換体２１，２２の開口を図８に示すように構成してもよい。
図３，４，５，６に示すように、第１及び第２熱交換体２１，２２を完全に撃ち抜いて開口が形成されるのではなく、図８に示すように、開口２８の下辺部から下壁部２８ａが延出されて、下壁部２８ａから上方に一対の縦壁部２８ｂが延出されている。これにより、不織布２６を開口２８を通しながら一対の縦壁部２８ｂの間に通すことにより、不織布２６が一対の縦壁部２８ｂにより挟み込まれて保持されたような状態となる。
【００３４】
［発明の実施の第２別形態］
前述の［発明の実施の形態］及び［発明の実施の第１別形態］において、不織布２６に代えて、凧紐等のように繊維を編んで紐状に構成したものを水分案内体として使用してもよい。
前述の［発明の実施の形態］及び［発明の実施の第１別形態］において、水分案内体（不織布２６）の他方がペルチェ素子２５の端部を迂回して、第２熱交換体２２に達するように構成するのではなく、ペルチェ素子２５に部分的に開口（図示せず）を設けて、水分案内体（不織布２６）がペルチェ素子２５の開口を通って第１及び第２熱交換体２１，２２に亘るように配置してもよい。
【００３５】
前述の［発明の実施の形態］及び［発明の実施の第１別形態］において、第１及び第２熱交換体２１，２２に開口を形成するのではなく、ペルチェ素子２５に接する部分が開放された切欠き部（図示せず）を、第１及び第２熱交換体２１，２２に形成するように構成してもよい。このように構成すると、第１及び第２熱交換体２１，２２の切欠き部に水分案内体（不織布２６）を挿入した場合、水分案内体（不織布２６）が第１及び第２熱交換体２１，２２に加えてペルチェ素子２５にも直接に接する状態となる。
【００３６】
［発明の実施の第３別形態］
前述の［発明の実施の形態］及び［発明の実施の第１別形態］［発明の実施の第２別形態］において、ターボファン１８に代えて、シロッコファン（図示せず）やプロペラ状のファン（図示せず）を使用してもよい。この場合、ターボファン１８（シロッコファン）（プロペラ状のファン）を、排気口１５ａ，１６ａと第１及び第２熱交換体２１，２２との間に備えて、ターボファン１８（シロッコファン）（プロペラ状のファン）の吸引作用により、空気が吸気口１６ｂから吸入されて、第１及び第２熱交換体２１，２２からターボファン１８（シロッコファン）（プロペラ状のファン）を通過し、排気口１５ａ，１６ａから排出されるように構成してもよい。
【００３７】
本発明は、ペルチェ素子２５の第１熱交換体２１の部分が吸熱側となり、ペルチェ素子２５の第２熱交換体２２の部分が放熱側となるように、ペルチェ素子２５に所定の電圧を掛ける状態、及びペルチェ素子２５に所定の電圧を掛けない状態の２状態に切換可能な温調装置１４（ペルチェ素子２５の第１熱交換体２１の部分が放熱側となり、ペルチェ素子２５の第２熱交換体２２の部分が吸熱側となるようなことは行わない温調装置１４）にも適用できる。
【００３８】
【発明の効果】
請求項１の特徴によると、熱電素子を使用した温調装置において、熱電素子の吸熱側となる部分や吸熱用の熱交換体に水分（結露）が発生すると、水分（結露）が水分案内体を介して放熱用の熱交換体に案内されるように構成することによって、熱電素子の吸熱側となる部分や吸熱用の熱交換体からの水分（結露）の排出が早く行われるようになり、吸熱用の熱交換体での熱交換（吸熱）が水分（結露）により行われ難くなると言う状態を避けることができるようになって、温調装置の性能向上を図ることができた。
【００３９】
請求項１の特徴によると、熱電素子の吸熱側となる部分の表面や、吸熱用の熱交換体の基部（熱電素子の吸熱側となる部分に接する部分）に、膜を張るように水分（結露）が発生した場合、水分（結露）が水分案内体により取り出され易くなり、放熱用の熱交換体に案内され易くなって、熱電素子の吸熱側となる部分や吸熱用の熱交換体からの水分（結露）の排出が早く行われるようになるので、温調装置の性能向上の面で有利なものとなった。
【００４０】
請求項１の特徴によると、水分（結露）が放熱用の熱交換体の熱によって蒸発した際、蒸発の際の気化熱が放熱用の熱交換体から奪われて、放熱用の熱交換体での熱交換（放熱）が促進されるようになるので、この点においても温調装置の性能向上の面で有利なものとなった。
請求項１の特徴によると、水分（結露）が外部に排出されることが少なく、排出された水分（結露）によって温調装置の外部を汚してしまうと言うような状態が少なくなって、衛生の面で好ましいものとなった。
【００４１】
請求項２の特徴によると、請求項１の場合と同様に前述の請求項１の「発明の効果」を備えており、この「発明の効果」に加えて以下のような「発明の効果」を備えている。
請求項２の特徴によると、熱電素子の吸熱側となる部分や吸熱用の熱交換体に発生した水分（結露）が、水分案内体を介して放熱用の熱交換体に案内された場合、熱電素子の放熱側となる部分の熱が水分（結露）に伝わり易くなり、水分（結露）が放熱用の熱交換体の熱によって蒸発し易くなって、温調装置の性能向上の面で有利なものとなった。
【００４２】
請求項３の特徴によると、請求項１又は２の場合と同様に前述の請求項１又は２の「発明の効果」を備えており、この「発明の効果」に加えて以下のような「発明の効果」を備えている。
請求項３の特徴によると、空気が吸熱用（放熱用）の熱交換体を通過する際に水分案内体が障害物となるので、吸熱用の熱交換体での熱交換（吸熱）及び放熱用の熱交換体での熱交換（放熱）が促進されるようになって、温調装置の性能向上の面で有利なものとなった。
【００４３】
請求項４の特徴によると、請求項１〜３のうちのいずれか一つの場合と同様に前述の請求項１〜３の「発明の効果」を備えており、この「発明の効果」に加えて以下のような「発明の効果」を備えている。
請求項４の特徴によると、熱電素子の吸熱側となる部分や吸熱用の熱交換体に発生した水分（結露）が、毛細管現象により水分案内体（不織布）に吸い取られて、放熱用の熱交換体に円滑に案内されるような状態となって、温調装置の性能向上の面で有利なものとなった。
請求項４の特徴によると、空気が吸熱用（放熱用）の熱交換体を通過する際に小さなゴミや塵が不織布に回収されることが期待できるので、小さなゴミや塵が温調装置から対象物に送られる状態を少なくすることができる。ファンの作動音（特に高周波領域の作動音）が不織布に吸音されることが期待できるので、温調装置の静粛性を向上させることができる。
【図面の簡単な説明】
【図１】シートの全体斜視図
【図２】シートの縦断側面図
【図３】温調装置の縦断側面図
【図４】温調装置の横断平面図（第２ケースから見た平面図）
【図５】温調装置の断面図
【図６】第１及び第２熱交換体、ペルチェ素子、不織布の斜視図
【図７】不織布を第１及び第２熱交換体に取り付けていない状態と、不織布を第１及び第２熱交換体に取り付けた状態との実験結果を示す図
【図８】発明の実施の第１別形態における第１熱交換体（第２熱交換体）、不織布の付近を示す斜視図
【符号の説明】
１８      ファン
２１      吸熱用の熱交換体
２２      放熱用の熱交換体
２５      熱電素子
２６      水分案内体、不織布
【図１】
2004322770.tif 000003
【図２】
2004322770.tif 000004
【図３】
2004322770.tif 000005
【図４】
2004322770.tif 000006
【図５】
2004322770.tif 000007
【図６】
2004322770.tif 000008
【図７】
2004322770.tif 000009
【図８】
2004322770.tif 000010